(57)【要約】【課題】処理装置に記憶された処理条件の消去に関して、ユーザの利便性を向上させることができる。【解決手段】  処理装置は、読取処理、及び画像記録処理の少なくとも何れか一方の処理を行うための処理部と、処理部の処理内容に関する処理条件を記憶するための処理条件記憶部と、制御部とを備えている。制御部は、処理条件記憶部に記憶された処理条件の設定項目それぞれの設定値に従って処理部を制御する。また、制御部は、処理条件に特定設定項目が含まれているときには、処理条件に係る処理が終了した後においても、少なくとも、当該処理条件の特定設定項目、及び、特定設定項目に対応する設定値が含まれる状態で当該処理条件を処理条件記憶部に記憶させておき、処理条件に特定設定項目が含まれていないときには、処理部により当該処理条件に係る処理が終了した後に当該処理条件を処理条件記憶部から消去する。【選択図】図６
2014236277.tif 000002
【特許請求の範囲】
【請求項１】
原稿に形成された画像を読み取る読取処理、及び、記録媒体に画像を記録する画像記録処理の少なくとも何れか一方の処理を行うための処理部と、
前記処理部の処理内容に関する設定項目及び当該設定項目に対応する設定値を含む処理条件を、外部端末装置から受信するための受信部と、
ユーザからの前記設定値の入力を含む各種入力を受け付けるための受付部と、
前記処理条件を記憶するための処理条件記憶部と、
前記処理条件に含めることが可能な複数の前記設定項目のうちの、特定の設定項目である特定設定項目を記憶するための特定設定項目記憶部と、
制御部と
を有しており、
前記制御部は、
前記受信部で受信された前記処理条件、及び、前記受付部で受け付けた前記設定値を含む前記処理条件を、前記処理条件記憶部に記憶させ、
前記処理条件記憶部に記憶された前記処理条件の前記設定項目それぞれの前記設定値に従って、前記読取処理及び前記画像記録処理の少なくとも何れか一方の処理が行われるように前記処理部を制御し、
前記処理条件記憶部に記憶された前記処理条件に、前記特定設定項目記憶部に記憶された前記特定設定項目が含まれているときには、前記処理部により当該処理条件に係る処理が終了した後においても、少なくとも、当該処理条件の前記特定設定項目、及び、前記特定設定項目に対応する前記設定値が含まれる状態で当該処理条件を前記処理条件記憶部に記憶させておき、
前記処理条件記憶部に記憶された前記処理条件に、前記特定設定項目記憶部に記憶された前記特定設定項目が含まれていないときには、前記処理部により当該処理条件に係る処理が終了した後に、当該処理条件を前記処理条件記憶部から消去することを特徴とする処理装置。
【請求項２】
前記制御部は、
前記処理条件記憶部に記憶された前記処理条件に、前記特定設定項目記憶部に記憶された前記特定設定項目が含まれているときには、前記処理部により当該処理条件に係る処理が終了した後においても、当該処理条件の全ての前記設定項目及び前記設定項目に対応する前記設定値が含まれる状態で当該処理条件を前記処理条件記憶部に記憶させておくことを特徴とする請求項１に記載の処理装置。
【請求項３】
前記制御部は、
前記処理条件記憶部に記憶された前記処理条件に、前記特定設定項目記憶部に記憶された前記特定設定項目が含まれているときには、前記処理部により当該処理条件に係る処理が終了した後において、当該処理条件の前記特定設定項目及び前記特定設定項目に対応する前記設定値のみが含まれる状態で当該処理条件を前記処理条件記憶部に記憶させておくことを特徴とする請求項１に記載の処理装置。
【請求項４】
前記受付部は、
前記処理条件記憶部に記憶された前記処理条件に含まれる前記設定項目についての、当該設定項目に対応する前記設定値の入力をユーザから受け付けることが可能にされており、
前記制御部は、
前記受付部でユーザから前記設定値の入力を受け付けたときには、当該受け付けた入力に係る前記設定値を、前記処理条件記憶部に記憶された前記処理条件の前記設定項目の前記設定値として設定することを特徴とする請求項１〜３の何れか一項に記載の処理装置。
【請求項５】
前記制御部は、
前記処理条件記憶部に記憶された前記処理条件に、前記特定設定項目記憶部に記憶された前記特定設定項目が含まれていないときには、前記処理部により当該処理条件に係る処理が終了したときから所定時間経過後に、当該処理条件を前記処理条件記憶部から消去することを特徴とする請求項１〜４の何れか一項に記載の処理装置。
【請求項６】
前記制御部は、
前記処理条件記憶部に記憶された前記処理条件に、前記特定設定項目記憶部に記憶された前記特定設定項目が含まれていないときにおいて、前記処理部による当該処理条件に係る処理が途中で異常中断した場合には、異常中断していない場合と比べて、当該処理が終了したときから当該処理条件を前記処理条件記憶部から消去するまでの時間を長くすることを特徴とする請求項１〜５の何れか一項に記載の処理装置。
【請求項７】
前記制御部は、
前記処理条件記憶部に記憶された前記処理条件に、前記特定設定項目記憶部に記憶された前記特定設定項目が含まれていないときにおいて、前記処理部による当該処理条件に係る処理が途中で異常中断した場合には、前記受付部で当該処理条件の消去指示に係る入力をユーザから受け付けた後に、当該処理条件を前記処理条件記憶部から消去することを特徴とする請求項１〜６の何れか一項に記載の処理装置。
【請求項８】
前記特定設定項目記憶部に記憶された前記特定設定項目が、前記処理条件に含めることが可能な複数の前記設定項目のうちの、当該設定項目に対応する前記設定値が、前記受付部で入力することができない前記設定項目であることを特徴とする請求項１〜７の何れか一項に記載の処理装置。
【請求項９】
前記特定設定項目記憶部に記憶された前記特定設定項目が、前記処理条件に含めることが可能な複数の前記設定項目のうちの、当該設定項目に対応する前記設定値が、ユーザの文字入力により設定される前記設定項目であることを特徴とする請求項１〜８の何れか一項に記載の処理装置。
【請求項１０】
前記特定設定項目記憶部には、前記読取処理における原稿の読取範囲、前記読取処理により読み取った画像に対して行う画像補正の処理設定、前記読取処理により読み取られた画像に係る画像データのデータ名、前記画像データの送信先のメールアドレス、及び前記画像データの保存先のパスの少なくとも何れかの前記設定項目が前記特定設定項目として記憶されていることを特徴とする請求項１〜９の何れか一項に記載の処理装置。
【請求項１１】
原稿に形成された画像を読み取る読取処理、及び、記録媒体に画像を記録する画像記録処理の少なくとも何れか一方の処理を行うための処理部と、前記処理部の処理内容に関する設定項目及び当該設定項目に対応する設定値を含む処理条件を、外部端末装置から受信するための受信部と、ユーザからの前記設定値の入力を含む各種入力を受け付けるための受付部と、前記処理条件を記憶するための処理条件記憶部と、前記処理条件に含めることが可能な複数の前記設定項目のうちの、特定の設定項目である特定設定項目を記憶するための特定設定項目記憶部とを有する処理装置の制御プログラムであって、
前記処理装置を、
前記受信部で受信された前記処理条件、及び、前記受付部で受け付けた前記設定値を含む前記処理条件を、前記処理条件記憶部に記憶させる記憶手段、
前記処理条件記憶部に記憶された前記処理条件の前記設定項目それぞれの前記設定値に従って、前記読取処理及び前記画像記録処理の少なくとも何れか一方の処理が行われるように前記処理部を制御する処理制御手段、及び、
前記処理条件記憶部に記憶された前記処理条件に、前記特定設定項目記憶部に記憶された前記特定設定項目が含まれているときには、前記処理部により当該処理条件に係る処理が終了した後においても、少なくとも、当該処理条件の前記特定設定項目、及び、前記特定設定項目に対応する前記設定値が含まれる状態で当該処理条件を前記処理条件記憶部に記憶させておき、前記処理条件記憶部に記憶された前記処理条件に、前記特定設定項目記憶部に記憶された前記特定設定項目が含まれていないときには、前記処理部により当該処理条件に係る処理が終了した後に、当該処理条件を前記処理条件記憶部から消去する消去手段、として機能させることを特徴とする制御プログラム。
【発明の詳細な説明】
【技術分野】
【０００１】
本発明は、処理装置、及びその制御プログラムに関する。
【背景技術】
【０００２】
特許文献１には、画像処理装置と端末装置とが通信可能に接続された画像処理システムが開示されている。この画像処理システムでは、端末装置において、画像処理装置での画像処理の処理条件を事前に設定し、設定した処理条件を画像処理装置に送信する。そして、処理条件を受信した画像処理装置は、当該処理条件を保存しておき、ユーザが保存した処理条件を選択することで、選択した処理条件に従って画像処理を実施することができるように構成されている。
【０００３】
ところで、画像処理後においても処理条件を画像処理装置に一律に保存する画像処理システムの場合、保存する処理条件が増えると、ユーザが目的とする処理条件を選択するのが困難になるため、ユーザの操作性が悪いという問題がある。そこで、特許文献１に記載された画像処理システムでは、端末装置において、処理条件を事前に設定する際に、当該処理条件を画像処理後においても画像処理装置に保存するか、画像処理後に消去するかをユーザが選択可能な構成にすることで、ユーザの操作性を向上させている。
【先行技術文献】
【特許文献】
【０００４】
【特許文献１】特開２０１１−２３４１９４号公報
【発明の概要】
【発明が解決しようとする課題】
【０００５】
しかしながら、上述の特許文献１に記載された画像処理システムでは、端末装置において処理条件を設定する度に、処理条件を画像処理後においても画像処理装置に保存するか、画像処理後に消去するかをユーザが選択をする必要がある。このため、ユーザの利便性が悪いという問題がある。
【０００６】
そこで、本発明の目的は、処理装置に記憶された処理条件の消去に関して、ユーザの利便性を向上させることができる、処理装置、及びその制御プログラムを提供することにある。
【課題を解決するための手段】
【０００７】
上記の課題を解決するために、本発明の処理装置は、原稿に形成された画像を読み取る読取処理、及び、記録媒体に画像を記録する画像記録処理の少なくとも何れか一方の処理を行うための処理部と、前記処理部の処理内容に関する設定項目及び当該設定項目に対応する設定値を含む処理条件を、外部端末装置から受信するための受信部と、ユーザからの前記設定値の入力を含む各種入力を受け付けるための受付部と、前記処理条件を記憶するための処理条件記憶部と、前記処理条件に含めることが可能な複数の前記設定項目のうちの、特定の設定項目である特定設定項目を記憶するための特定設定項目記憶部と、制御部とを有している。前記制御部は、前記受信部で受信された前記処理条件、及び、前記受付部で受け付けた前記設定値を含む前記処理条件を、前記処理条件記憶部に記憶させ、前記処理条件記憶部に記憶された前記処理条件の前記設定項目それぞれの前記設定値に従って、前記読取処理及び前記画像記録処理の少なくとも何れか一方の処理が行われるように前記処理部を制御し、前記処理条件記憶部に記憶された前記処理条件に、前記特定設定項目記憶部に記憶された前記特定設定項目が含まれているときには、前記処理部により当該処理条件に係る処理が終了した後においても、少なくとも、当該処理条件の前記特定設定項目、及び、前記特定設定項目に対応する前記設定値が含まれる状態で当該処理条件を前記処理条件記憶部に記憶させておき、前記処理条件記憶部に記憶された前記処理条件に、前記特定設定項目記憶部に記憶された前記特定設定項目が含まれていないときには、前記処理部により当該処理条件に係る処理が終了した後に、当該処理条件を前記処理条件記憶部から消去することを特徴とする。
【０００８】
また、本発明の処理装置の制御プログラムは、原稿に形成された画像を読み取る読取処理、及び、記録媒体に画像を記録する画像記録処理の少なくとも何れか一方の処理を行うための処理部と、前記処理部の処理内容に関する設定項目及び当該設定項目に対応する設定値を含む処理条件を、外部端末装置から受信するための受信部と、ユーザからの前記設定値の入力を含む各種入力を受け付けるための受付部と、前記処理条件を記憶するための処理条件記憶部と、前記処理条件に含めることが可能な複数の前記設定項目のうちの、特定の設定項目である特定設定項目を記憶するための特定設定項目記憶部とを有する処理装置の制御プログラムであって、前記処理装置を、前記受信部で受信された前記処理条件、及び、前記受付部で受け付けた前記設定値を含む前記処理条件を、前記処理条件記憶部に記憶させる記憶手段、前記処理条件記憶部に記憶された前記処理条件の前記設定項目それぞれの前記設定値に従って、前記読取処理及び前記画像記録処理の少なくとも何れか一方の処理が行われるように前記処理部を制御する処理制御手段、及び、前記処理条件記憶部に記憶された前記処理条件に、前記特定設定項目記憶部に記憶された前記特定設定項目が含まれているときには、前記処理部により当該処理条件に係る処理が終了した後においても、少なくとも、当該処理条件の前記特定設定項目、及び、前記特定設定項目に対応する前記設定値が含まれる状態で当該処理条件を前記処理条件記憶部に記憶させておき、前記処理条件記憶部に記憶された前記処理条件に、前記特定設定項目記憶部に記憶された前記特定設定項目が含まれていないときには、前記処理部により当該処理条件に係る処理が終了した後に、当該処理条件を前記処理条件記憶部から消去する消去手段、として機能させることを特徴とする。
【発明の効果】
【０００９】
本発明の処理装置、及びその制御プログラムによれば、処理条件に特定設定項目記憶部に記憶された特定設定項目が含まれる場合には、処理が終了した後においても当該処理条件は処理条件記憶部に記憶される一方で、処理条件に特定設定項目が含まれない場合には処理条件は処理が終了した後に処理条件記憶部から消去される。このように、特定設定項目記憶部に記憶された特定設定項目に従って、処理が終了した後に処理条件を処理条件記憶部から消去するか否かが決められるため、ユーザの利便性を向上させることができる。
【図面の簡単な説明】
【００１０】
【図１】本発明の第１実施形態に係る処理システムの構成を示す概略図である。
【図２】図１に示す処理システムにおける端末装置及びＭＦＰの電気的構成図である。
【図３】図２に示す端末装置の表示装置に表示される読取設定画面について説明する説明図である。
【図４】読取処理条件について説明する説明図である。
【図５】図２に示すＭＦＰの表示装置に表示される画面について説明する説明図である。
【図６】図２に示すＭＦＰのＣＰＵにより実行される読取処理、及び消去処理について説明する説明図である。
【図７】第２実施形態に係るＭＦＰのＣＰＵにより実行される読取処理、及び消去処理について説明する説明図である。
【発明を実施するための形態】
【００１１】
（第１実施形態）
以下、第１実施形態に係る処理システムについて図面を参照しつつ説明する。本実施形態に係る処理システム１は、図１に示すように、端末装置１００と、複合機（ＭＦＰ：Ｍｕｌｔｉ  Ｆｕｎｃｔｉｏｎ  Ｐｅｒｉｐｈｅｒａｌ）２００（処理装置の一例）とを備えている。ＭＦＰ２００は、原稿に形成された画像を読み取る画像読取機能、記録媒体（例えば、用紙）に画像を記録する画像記録機能などを備える装置である。また、ＭＦＰ２００は、ＬＡＮ（Ｌｏｃａｌ  Ａｒｅａ  Ｎｅｔｗｏｒｋ）のルーター３００に接続されている。ルーター３００には、ＭＦＰ２００の他、複数の端末装置１００や図示しない共有ファイルサーバが接続されており、互いに通信可能となっている。また、端末装置１００及びＭＦＰ２００は、ファイヤーウォール４００を介してインターネットに接続可能となっている。
【００１２】
また、本実施形態に係る処理システム１においては、端末装置１００が、ＭＦＰ２００の処理内容に関する処理条件を予め生成して、生成した処理条件をＭＦＰ２００に送信する。処理条件を受信したＭＦＰ２００は、当該処理条件を記憶する。そして、ＭＦＰ２００が、記憶された処理条件を読み出す入力をユーザから受け付けたときに、当該処理条件を読み出して、読み出した処理条件に従って各種処理を行うことが可能に構成されている。この構成により、ユーザは端末装置１００において、ＭＦＰ２００の処理条件の内容を、他のユーザを気にすることなく、時間をかけて設定することができる。
【００１３】
［端末装置の構成］
続いて、端末装置１００の概略構成について説明する。端末装置１００は、ＭＦＰ２００の制御が可能な汎用のパーソナルコンピュータ等であり、図２に示すように、ＣＰＵ（Ｃｅｎｔｒａｌ  Ｐｒｏｃｅｓｓｉｎｇ  Ｕｎｉｔ）１１、通信インターフェース１２、入力受付装置１３、表示装置１４、及び記憶装置１５を主に備えている。
【００１４】
ＣＰＵ１１は、記憶装置１５に記憶されているプログラムを実行することで、端末装置１００全体を制御する。通信インターフェース１２は、ＭＦＰ２００等の外部装置との間でデータ通信を行うためのインターフェースである。入力受付装置１３は、キーボードやポインティングデバイス（マウスやタッチパッド等）を含み、各種入力をユーザから受け付けて、当該入力に応じた信号をＣＰＵ１１に出力する。表示装置１４は、液晶パネル等から構成され、ＣＰＵ１１から受信した信号に基づいて種々の画像を表示する。
【００１５】
記憶装置１５は、プログラム等を記憶するＲＯＭ（Ｒｅａｄ  Ｏｎｌｙ  Ｍｅｍｏｒｙ）やＣＰＵ１１によるプログラム実行時に作業領域として使用されるＲＡＭ（Ｒａｎｄｏｍ  Ａｃｃｅｓｓ  Ｍｅｍｏｒｙ）などから構成される。また、記憶装置１５は、ＭＦＰ２００の処理内容に関する処理条件を記憶するための処理条件記憶部２０を有する。ここで、本実施形態では、処理条件として、ＭＦＰ２００の画像読取機能を利用した読取処理に関する読取処理条件と、ＭＦＰ２００の画像記録機能を利用した画像記録処理に関する記録処理条件とがある。以下においては、２つの処理条件のうち、読取処理条件について主に説明する。
【００１６】
本実施形態では、読取処理条件に含めることができる設定項目として、読取処理における基本設定に係る基本設定項目、及び、基本設定項目以外の拡張設定項目がある。拡張設定項目は、ユーザが必要に応じて設定する拡張設定に係る設定項目である。また、後述するが、拡張設定項目は、基本設定項目と比べて、その設定項目に対応する設定値を設定する際にユーザにかかる負担が大きい設定項目である。
【００１７】
本実施形態においては、基本設定項目として、「解像度」、「カラー／モノクロ」、「読取面」、及び「定型用紙サイズ」の４つの設定項目がある、「解像度」は原稿に形成された画像の読取解像度に係る設定項目であり、対応する設定値として、通常解像度と、通常解像度よりも読取解像度が高い高解像度とがある。「カラー／モノクロ」は、原稿に形成された画像をカラー及びモノクロの何れで読み取るかを設定するための設定項目であり、対応する設定値として、カラーとモノクロとがある。「読取面」は、記録媒体の片面の原稿に形成された画像を読み取るか記録媒体の両面の原稿に形成された画像を読み取るかを設定するための設定項目であり、対応する設定値として、片面と両面とがある。「定型用紙サイズ」は、読取処理における原稿のサイズ（読取範囲）を設定するための設定項目であり、対応する設定値として、複数の定型用紙サイズ（例えば、Ａ４など）がある。
【００１８】
また、拡張設定項目として、「メールアドレス」、「保存パス」、「画像データ名」、「ユーザ定義用紙サイズ」、「輪郭強調」、「モアレ低減」、及び「逆光補正」の７つの設定項目がある。「メールアドレス」は、読取処理により読み取られた画像に係る画像データの送信先のメールアドレスを設定するための設定項目である。「保存パス」は、読取処理により読み取られた画像に係る画像データの保存先のパスを設定するための設定項目である。「画像データ名」は、読取処理により読み取られた画像に係る画像データのデータ名をユーザが設定するための設定項目である。「ユーザ定義用紙サイズ」は、読取処理における原稿のサイズとして、上記定型用紙サイズ以外の用紙サイズをユーザが定義するための設定項目である。「メールアドレス」、「保存パス」、「画像データ名」、及び「ユーザ定義用紙サイズ」それぞれの設定項目に対応する設定値は、入力受付装置１３を介したユーザからの文字入力により設定される。
【００１９】
また、「輪郭強調」、「モアレ低減」、及び「逆光補正」それぞれは、読取処理により読み取った画像に対して行う画像補正の処理設定に関する設定項目である。これら「輪郭強調」、「モアレ低減」、及び「逆光補正」の設定項目に対応する設定値は、それぞれの画像補正の補正度合に関するパラメータを、入力受付装置１３を介してユーザが調整することで設定される。
【００２０】
読取処理条件は、ユーザが入力受付装置１３に読取設定指示を入力したときに、ＣＰＵ１１によって実行される読取設定処理により生成される。以下、読取設定処理について詳細に説明する。
【００２１】
まず、ＣＰＵ１１は、入力受付装置１３を介してユーザから読取設定指示を受け付けると、図３に示す読取設定画面４０が表示されるように表示装置１４を制御する。この読取設定画面４０上には、基本設定タブ４１と拡張設定タブ４２とが互いに切り替えて表示されるようになっており、その下方に、ＯＫボタン４３、キャンセルボタン４４が設けられている。ＯＫボタン４３は、読取設定画面４０上に表示された処理条件の設定内容を確定させるためのボタンである。また、キャンセルボタン４４は、処理条件の設定内容を確定させずに（処理条件を生成せずに）、読取設定処理を終了させるためのボタンである。
【００２２】
基本設定タブ４１上には、図３（ａ）に示すように、「解像度」、「カラー／モノクロ」、「読取面」、及び「定型用紙サイズ」の４つの基本設定項目の欄が表示されている。「解像度」、「カラー／モノクロ」、及び「読取面」の欄には、それぞれの設定項目に対応する設定値のラジオボタンが設けられており、ユーザが各設定項目の設定値を選択することが可能にされている。また、「定型用紙サイズ」の欄には、複数の定型用紙サイズのリスト表示が可能なプルダウンメニューが設けられており、ユーザが「定型用紙サイズ」の設定値として、１つの定型用紙サイズを選択することが可能にされている。このように、基本設定項目に対応する設定値は、ラジオボタンやプルダウンメニューを用いて比較的容易に設定することができるため、設定値を設定する際にユーザにかかる負担は比較的小さい。
【００２３】
拡張設定タブ４２上には、図３（ｂ）に示すように、「メールアドレス」、「保存パス」、「画像データ名」、「ユーザ定義用紙サイズ」、「輪郭強調」、「モアレ低減」、及び「逆光補正」の７つの拡張設定項目の欄が表示されており、それぞれの欄には設定ボタンが設けられている。「メールアドレス」、「保存パス」、「画像データ名」、及び「ユーザ定義用紙サイズ」の欄にそれぞれに設けられた設定ボタンを、ユーザが入力受付装置１３を介して選択すると、図示しない文字入力ボックスが読取設定画面４０上にポップアップ表示され、選択した設定ボタンに係る拡張設定項目の設定値をユーザが文字入力により設定することが可能にされている。「輪郭強調」、「モアレ低減」、及び「逆光補正」の欄にそれぞれに設けられた設定ボタンを、ユーザが入力受付装置１３を介して選択すると、図３（ｃ）に示すように、スクロールバーが表示された入力ボックス４５が読取設定画面４０上にポップアップ表示される。ユーザが入力受付装置１３を介して、入力ボックス４５に表示されたスクロールバーの位置を変更してパラメータを調整することで、選択した設定ボタンに係る拡張設定項目の設定値を変更することが可能にされている。このように、拡張設定項目に対応する設定値は、文字入力やパラメータ調整により設定する必要があるため、設定値を設定する際にユーザにかかる負担は比較的大きい。
【００２４】
ユーザが入力受付装置１３を介して読取設定画面４０上のＯＫボタン４３を選択すると、ＣＰＵ１１は、読取設定画面４０上の設定内容を確定し、読取処理条件を生成する。具体的には、「解像度」、「カラー／モノクロ」、及び「読取面」の基本設定項目については、これらの基本設定項目、及び、それぞれに対応する設定値を読取処理条件に含める。また、「定型用紙サイズ」の基本設定項目、及び「ユーザ定義用紙サイズ」の拡張設定項目については、「ユーザ定義用紙サイズ」に対応する設定値がユーザにより設定されている場合には「ユーザ定義用紙サイズ」の拡張設定項目及びその設定値を読取処理条件に含める一方、「ユーザ定義用紙サイズ」に対応する設定値が設定されていない場合には、「定型用紙サイズ」の基本設定項目及びその設定値を読取処理条件に含める。このように、読取処理条件には、「ユーザ定義用紙サイズ」、及び「定型用紙サイズ」のうちの何れか一方の設定項目のみが含められる。
【００２５】
また、「メールアドレス」、「保存パス」、「画像データ名」、「輪郭強調」、「モアレ低減」、及び「逆光補正」の拡張設定項目については、図４（ａ）及び図４（ｂ）に示すように、対応する設定値がユーザにより設定されていた場合のみ、当該拡張設定項目及びその設定値は読取処理条件に含められる。なお、本実施形態において、ＣＰＵ１１は、上記設定項目及び当該設定項目に対応する設定値の他に、読取設定指示を行ったユーザのユーザ名、ユーザが設定したパスワード、及び生成日時も読取処理条件に含める。ＣＰＵ１１は、以上のようにして生成した読取処理条件を、処理条件記憶部２０に記憶させる。以上、読取設定処理について説明した。なお、画像記録条件についても、読取設定処理と同様に、画像記録条件に含めることができる設定項目として、基本設定項目と拡張設定項目とがあり、入力受付装置１３を介したユーザからの画像記録設定指示に基づいて、ＣＰＵ１１によって生成される。
【００２６】
また、ＣＰＵ１１は、入力受付装置１３を介してユーザから読取条件出力指示を受け付けると、処理条件記憶部２０に記憶された読取処理条件を読み出して、通信インターフェース１２を介して読取処理条件をＭＦＰ２００に出力する。同様に、ＣＰＵ１１は、入力受付装置１３を介してユーザから画像記録条件出力指示を受け付けると、処理条件記憶部２０に記憶された画像記録処理条件を読み出して、通信インターフェース１２を介して画像記録処理条件をＭＦＰ２００に出力する。なお、画像記録処理条件には、記録媒体に記録させる画像に係る画像データも含まれる。
【００２７】
［ＭＦＰの構成］
続いて、ＭＦＰ２００の概略構成について説明する。ＭＦＰ２００は、図２に示すように、ＣＰＵ５１、通信インターフェース５２（受信部の一例）、入力受付装置５３（受付部の一例）、表示装置５４、処理機構５５（処理部の一例）、センサ５８、及び記憶装置５９を主に備えている。
【００２８】
ＣＰＵ５１は、記憶装置５９に記憶されているプログラムを実行することで、ＭＦＰ２００全体を制御する。通信インターフェース５２は、端末装置１００等の外部装置との間でデータ通信を行うためのインターフェースである。入力受付装置５３は各種操作ボタンを備え、ユーザから各種入力を受け付けて、その入力に応じた信号をＣＰＵ５１に出力する。表示装置５４は、小型の液晶ディスプレイ等から構成され、ＣＰＵ５１から受信した信号に基づいて、種々の画像を表示する。
【００２９】
処理機構は、原稿に形成された画像を読み取る読取処理を行うための画像読取機構５６と、記録媒体に画像を記録する画像記録処理を行うための画像記録機構５７とからなる。画像読取機構５６は、イメージセンサ、自動原稿送り装置（Ａｕｔｏｍａｔｉｃ  Ｄｏｃｕｍｅｎｔ  Ｆｅｅｄｅｒ；ＡＤＦ）などによって構成される。画像読取機構５６は、ＣＰＵ５１の制御の下、ＡＤＦによって搬送される原稿に形成された画像をイメージセンサで読み取り、その画像に係る画像データを生成する。画像記録機構５７は、記録媒体を搬送するための搬送機構と、搬送機構により搬送される記録媒体に画像を記録するためのインクジェット方式やレーザ方式等を採用した記録装置などによって構成される。画像記録機構５７は、ＣＰＵ５１の制御の下、後述する画像データ記憶部６２に記憶された画像データに係る画像を記録媒体に記録する。
【００３０】
センサ５８は、読取処理中の異常や画像記録処理中の異常を検出して、ＣＰＵ５１に異常信号を出力するためのセンサである。本実施形態においては、センサ５８は、ＭＦＰ２００内での用紙詰まり（いわゆるジャム）を検出するためのセンサである。ＣＰＵ５１は、センサ５８からの異常信号を受け付けると、読取処理が中断されるように画像読取機構５６を制御する、又は、画像記録処理が中断されるように画像記録機構５７を制御する。そして、ユーザが詰まった用紙を取り除いた後において、入力受付装置５３を介してユーザから処理再開指示を受け付けた場合に、ＣＰＵ５１は中断した処理が再開されるように画像読取機構５６又は画像記録機構５７を制御する。
【００３１】
記憶装置５９は、プログラム等を記憶するＲＯＭやＣＰＵ１１によるプログラム実行時に作業領域として使用されるＲＡＭなどからなる。また、この記憶装置５９は、処理条件を記憶するための処理条件記憶部６０、処理条件に含めることが可能な複数の設定項目のうちの、特定の設定項目である特定設定項目を記憶するための特定設定項目記憶部６１、及び画像データを記憶するための画像データ記憶部６２を有する。
【００３２】
ここで、本実施形態において、特定設定項目は上述した拡張設定項目と同じであり、特定設定項目記憶部６１には、「メールアドレス」、「保存パス」、「画像データ名」、「ユーザ定義用紙サイズ」、「輪郭強調」、「モアレ低減」、及び「逆光補正」の全ての拡張設定項目が特定設定項目として予め記憶されている。
【００３３】
次に、ＣＰＵ５１が、記憶装置５９に記憶されたプログラム（制御プログラム）を読み込んで実行する、記憶処理、処理機構制御処理、消去処理について説明する。
【００３４】
記憶処理は、処理条件を処理条件記憶部６０に記憶させる処理である。ＣＰＵ５１は、通信インターフェース５２で処理条件を受信したとき、当該処理条件を処理条件記憶部６０に記憶させる。なお、ＣＰＵ５１は、受信した処理条件が画像記録処理条件の場合には、当該画像記録処理条件に含まれる画像データを抽出して、抽出した画像データを画像データ記憶部６２に記憶させる。
【００３５】
また、ＣＰＵ５１は、入力受付装置５３を介して設定値入力指示を受け付けたときに、処理条件記憶部６０に記憶された処理条件を読み出して、読み出した処理条件に含まれる設定項目に対応する設定値を、ユーザからの入力に基づいて設定し、その後、当該設定値を含む処理条件を処理条件記憶部６０に記憶させる。具体的には、入力受付装置５３を介してユーザから設定値入力指示を受け付けると、ＣＰＵ５１は、ユーザ名及びパスワードを入力するための認証用画面が表示されるように表示装置５４を制御する。そして、ＣＰＵ５１は、入力受付装置５３を介してユーザからユーザ名とパスワードの入力を受け付けると、処理条件記憶部６０を参照して、ユーザ名とパスワードとが一致する処理条件を全て読み出して、読み出した処理条件をリスト表示させた選択画面８０（図５（ａ）参照）が表示されるよう表示装置５４を制御する。
【００３６】
ここで、後述するが、本実施形態においては、処理条件記憶部６０に記憶された処理条件に含まれる設定項目に対応する設定値のうち、基本設定項目に対応する設定値が消去される場合がある。このため、ＣＰＵ５１は、処理条件記憶部６０に記憶された処理条件において、当該処理条件に含まれる設定項目のうち対応する設定値が処理条件記憶部６０に記憶されていない設定項目については、当該設定項目に対応する設定値を、ＭＦＰ２００で予め定められた既定値に設定して選択画面８０上に表示するとともに、当該設定値がユーザにより設定されたものではなく既定値であることを示す画像８１（図５（ａ）参照）を選択画面８０上に表示する。
【００３７】
その後、選択画面８０上でユーザにより処理条件が選択されると、ＣＰＵ５１は、図５（ｂ）に示すように、選択された処理条件に関する設定画面７０が表示されるよう表示装置５４を制御する。この設定画面７０上には、選択された処理条件に含まれる設定項目及び当該設定項目に対応する設定値が表示される。また、選択された処理条件に含まれる設定項目に対応する設定値のうち、ユーザにより設定されたものではなく既定値である設定値については、当該設定値が既定値であることを示す画像７１が設定画面７０上に表示される。
【００３８】
また、設定画面７０上には、「解像度」、「カラー／モノクロ」、及び「読取面」の３つの基本設定項目について、当該基本設定項目に対応する設定値を設定（変更）するためのラジオボタンが設けられている。また、設定画面７０上には、選択された処理条件に「定型用紙サイズ」の基本設定項目が含まれている場合にのみ、複数の定型用紙サイズの中から一つの用紙サイズを設定するためのプルダウンメニューが設けられる。このように、選択された処理条件に含まれる設定項目のうち、基本設定項目に対応する設定値については、入力受付装置５３を介してユーザが設定することができるように構成されている。
【００３９】
これに対して、本実施形態では、選択された処理条件に含まれる拡張設定項目（特定設定項目記憶部６１に記憶された特定設定項目）については、その設定値を設定（変更）することができないように構成されている。ユーザが入力受付装置５３を介して設定画面７０上のＯＫボタン７２を選択すると、ＣＰＵ５１は、読取設定画面４０上の設定内容を確定し、当該設定内容に基づく処理条件を処理条件記憶部６０に記憶させる。
【００４０】
また、ＣＰＵ５１は、入力受付装置５３を介したユーザからの処理条件生成指示に基づいて処理条件を新たに生成し、当該処理条件を処理条件記憶部６０に記憶させる。ここで、入力受付装置５３を介したユーザからの入力に基づいて新たに生成される処理条件には、基本設定項目及び当該基本設定項目に対応する設定値のみ含めることが可能にされている。
【００４１】
処理機構制御処理は、処理条件記憶部６０に記憶された処理条件の設定項目それぞれの設定値に従って、処理機構５５を制御する処理である。具体的には、入力受付装置５３を介してユーザから画像読取指示を受け付けると、ＣＰＵ５１は、上記設定値入力指示を受け付けたときと同様に、ユーザ名及びパスワードを入力するための認証用画面が表示されるよう表示装置５４を制御する。そして、ＣＰＵ５１は、入力受付装置５３を介してユーザから入力されたユーザ名とパスワードを受け付けると、処理条件記憶部６０を参照して、ユーザ名とパスワードとがユーザから入力されたものと一致する読取処理条件を全て読み出して、読み出した読取処理条件をリスト表示させた選択画面８０（図５（ａ）参照）を表示装置５４に表示させる。
その後、選択画面８０上でユーザにより読取処理条件が選択されると、ＣＰＵ５１は、当該読取処理条件の設定項目それぞれの設定値に従って、読取処理が行われるよう画像読取機構５６を制御する。これにより、画像読取機構５６によって原稿に形成された画像に係る画像データが生成される。このとき、読取処理条件に「画像データ名」の設定項目が含まれている場合には当該設定項目の設定値が示す画像データ名を画像データに付す一方で、「画像データ名」の設定項目が含まれない場合には生成日時等を示す画像データ名を画像データに付す。また、ＣＰＵ５１は、読取処理条件に「メールアドレス」の設定項目が含まれている場合には当該設定項目の設定値が示すメールアドレスに生成した画像データを送信し、読取処理条件に「保存パス」の設定項目が含まれている場合には当該設定項目の設定値が示す保存パスに生成した画像データを保存させる。ＣＰＵ５１は、読取処理条件に「メールアドレス」及び「保存パス」の何れの設定項目も含まれていない場合には、生成した画像データを画像データ記憶部６２に記憶させる。
【００４２】
また、ＣＰＵ５１は、入力受付装置５３を介してユーザから画像記録指示を受け付けると、上記の読取処理のときと同様な処理を行い、ユーザにより選択された画像記録処理条件の設定項目それぞれの設定値に従って、画像記録処理が行われるように画像記録機構５７を制御する。
【００４３】
消去処理は、処理条件記憶部６０に記憶された処理条件を消去する処理である。ＣＰＵ５１は、処理条件記憶部６０に記憶された処理条件に従った処理機構５５による処理が終了したときに、当該処理条件に特定設定項目記憶部６１に記憶された特定設定項目が含まれているか否かを判断する。そして、特定設定項目が含まれている処理条件（図４（ｂ）参照）であると判断した場合には、ＣＰＵ５１は、当該処理条件に含まれる設定項目、及び、特定設定項目に対応する設定値が含まれる状態で、処理条件を処理条件記憶部６０に記憶させる。即ち、処理条件に特定設定項目が含まれている場合には、基本設定項目に対応する設定値のみが消去される。なお、このとき、処理条件に処理機構５５による処理日時を付加してもよい。一方、特定設定項目が含まれていない処理条件（図４（ａ）参照）であると判断した場合には、ＣＰＵ５１は、当該処理条件を処理条件記憶部６０から消去する。
【００４４】
本実施形態において、ＣＰＵ５１は、特定設定項目が含まれていない処理条件の処理条件記憶部６０からの消去は、処理機構５５による処理が終了したときから所定時間経過後に行う。詳細には、ＣＰＵ５１は、処理条件に特定設定項目が含まれていないと判断した場合には、センサ５８からの異常信号に基づき、処理機構５５による処理が途中で異常中断したか否かをさらに判断する。そして、処理機構５５による処理が途中で異常中断していないと判断した場合には、ＣＰＵ５１は、処理機構５５による処理が終了したときから第１消去時間経過後に処理条件を処理条件記憶部６０から消去する。一方で、処理機構５５による処理が途中で異常中断したと判断した場合には、ＣＰＵ５１は、処理機構５５による処理が終了したときから第２消去時間経過後に処理条件を処理条件記憶部６０から消去する。
【００４５】
ここで、第１消去時間とは、例えば、処理機構５５による処理が終了した直後に、入力受付装置５３を介してユーザから読取指示又は画像記録指示を受け付けたときに、同じ処理条件をユーザが選択することが可能な時間である。即ち、処理機構５５による処理が終了したときから第１消去時間が経過するまでは、ユーザは、処理機構５５に対して同一の処理条件で処理を再び行わせることが可能な時間である。
【００４６】
ところで、処理機構５５による処理が途中で異常中断した場合、当該処理がユーザの意図した処理内容で処理されていない場合がある。例えば、読取処理が途中で異常中断すると、原稿に形成された一部の画像が読み取られていない場合や、画像が重複して読み取られる場合がある。そこで、第２消去時間は、上記第１消去時間よりも長く設定されている。これにより、処理機構５５による処理の途中の異常中断した場合において、当該処理の処理内容がユーザの意図したものではない場合には、ユーザは、処理機構５５に対して同一の処理条件で処理を再び行わせることができる。第１消去時間の長さ及び第２消去時間の長さは、ＭＦＰ２００に予め設定されていてもよく、ユーザが設定することが可能にされていてもよい。また、読取処理において画像を読み取る原稿の量や、画像記録処理において記録媒体に記録させる画像に係る画像データのデータ量に応じて、第１消去時間及び第２消去時間それぞれが長くなるようにされていてもよい。
【００４７】
次に、ＣＰＵ５１が実行する、読取処理及び消去処理の一例について、図６を参照しつつ説明する。まず、ＣＰＵ５１は、入力受付装置５３を介してユーザから画像読取指示を受け付けたか否かを判断する（Ａ１）。画像読取指示を受け付けたと判断した場合（Ａ１：ＹＥＳ）には、ＣＰＵ５１は、認証用画面が表示されるように表示装置５４を制御する（Ａ２）。認証用画面上でユーザからユーザ名及びパスワードが入力されると、ＣＰＵ５１は、処理条件記憶部６０に記憶された処理条件の中に、入力されたユーザ名及びパスワードと一致するユーザ名及びパスワードを含む処理条件があるか否かを判断する（Ａ３）。一致するユーザ名及びパスワードを含む処理条件がない場合（Ａ３：ＮＯ）には、認証用画面が再度表示されるように、ステップＡ２の処理に戻る。一方、一致するユーザ名及びパスワードを含む処理条件があると判断した場合（Ａ３：ＹＥＳ）には、処理条件記憶部６０に記憶された処理条件の中から、一致するユーザ名及びパスワードを含む処理条件を全て読み出して、読み出した処理条件をリスト表示させた選択画面８０が表示されるように表示装置５４を制御する（Ａ４）。
【００４８】
次に、ＣＰＵ５１は、選択画面８０上にリスト表示された処理条件の中から実行する処理条件を選択する入力を、入力受付装置５３を介してユーザから受け付けたか否かを判断する（Ａ５）。そして、処理条件を選択する入力を受け付けたと判断した場合（Ａ５：ＹＥＳ）には、当該選択された処理条件を処理条件記憶部６０から読み出して、読み出した処理条件の設定項目それぞれに対応する設定値に従って読取処理が実行されるように画像読取機構５６を制御する（Ａ６）。
【００４９】
次に、ＣＰＵ５１は、画像読取機構５６による読取処理が終了したか否かを判断する（Ａ７）。読取処理が終了していないと判断した場合（Ａ７：ＮＯ）には、ステップＡ７の処理を繰り返す。一方、読取処理が終了したと判断した場合（Ａ７：ＹＥＳ）には、ステップＡ６の処理で読み出した処理条件の設定項目に、特定設定項目記憶部６１に記憶された特定設定項目が含まれるか否かを判断する（Ａ８）。特定設定項目が含まれていると判断した場合（Ａ８：ＹＥＳ）には、ＣＰＵ５１は、処理条件に含まれる設定項目、及び、特定設定項目に対応する設定値が含まれる状態で、処理条件を処理条件記憶部６０に記憶させる（Ａ９）。即ち、ＣＰＵ５１は、処理条件に含まれる基本設定項目に対応する設定値のみ処理条件記憶部６０から消去する。このステップＡ９の処理が終了すると、ステップＡ１の処理に戻る。
【００５０】
一方で、ステップＡ６の処理で読み出した処理条件の設定項目に特定設定項目が含まれていないと判断した場合（Ａ８：ＮＯ）には、読取処理中におけるセンサ５８からの異常信号に基づき、読取処理が途中で異常中断したか否かを判断する（Ａ１０）。読取処理が途中で異常中断していないと判断した場合（Ａ１０：ＮＯ）には、読取処理が終了したときから第１消去時間経過後の時刻である消去時刻を追加した状態で、処理条件を処理条件記憶部６０に記憶させる（Ａ１１）。このステップＡ１１の処理が終了すると、ステップＡ１の処理に戻る。
【００５１】
ステップＡ１０の処理で、読取処理が途中で異常中断したと判断した場合（Ａ１０：ＹＥＳ）には、読取処理が終了したときから第２消去時間経過後の時刻である消去時刻を追加した状態で、処理条件を処理条件記憶部６０に記憶させる（Ａ１２）。このステップＡ１２の処理が終了すると、ステップＡ１の処理に戻る。
【００５２】
ステップＡ１の処理で、画像読取指示を受け付けていないと判断した場合（Ａ１：ＮＯ）には、ＣＰＵ５１は、処理条件記憶部６０に記憶された処理条件のうち、消去時刻を含む処理条件を読み出す（Ａ１３）。そして、ＣＰＵ５１は、読み出した処理条件の消去時刻と現在時刻とを比較することで、消去時刻が現在時刻と一致する処理条件かあるか否かを判断する（Ａ１４）。ここで、ＣＰＵ５１は、現在時刻が消去時刻を過ぎている場合においても、消去時刻が現在時刻と一致すると判断する。消去時刻が現在時刻と一致する処理条件がないと判断した場合（Ａ１４：ＮＯ）には、ステップＡ１の処理に戻る。
【００５３】
一方で、消去時刻が現在時刻と一致する処理条件があると判断した場合（Ａ１４：ＹＥＳ）には、ＣＰＵ５１は、当該消去時刻が現在時刻と一致する処理条件を、処理条件記憶部６０から消去する（Ａ１５）。このステップＡ１５の処理が終了すると、ステップＡ１の処理に戻る。以上、ＣＰＵ５１が実行する、読取処理及び消去処理の一例について説明した。
【００５４】
以上、本実施形態によると、処理条件に特定設定項目記憶部６１に記憶された特定設定項目が含まれる場合には、処理が終了した後においても当該処理条件は処理条件記憶部６０に記憶される一方で、処理条件に特定設定項目が含まれない場合には処理条件は処理が終了した後に処理条件記憶部６０から消去される。このように、特定設定項目記憶部６１に記憶された特定設定項目に従って、処理が終了した後に処理条件を処理条件記憶部６０から消去するか否かが決められるため、ユーザの利便性を向上させることができる。また、特定設定項目が含まれていない処理条件については、処理が終了した後に処理条件記憶部６０から消去されるため、処理条件記憶部６０の記憶容量が圧迫されるのを抑制することができる。
【００５５】
また、本実施形態によると、処理条件に特定設定項目記憶部６１に記憶された特定設定項目が含まれる場合には、処理機構５５による処理が終了した後においては、処理条件に含まれる基本設定項目に対応する設定値は消去される。このため、処理条件記憶部６０の記憶容量が圧迫されるのをさらに抑制することができる。
【００５６】
また、本実施形態によると、処理条件に特定設定項目が含まれていない場合には、処理機構５５による処理が終了したときから第１消去時間又は第２消去時間経過後に、当該処理条件が処理条件記憶部６０から消去される。従って、特定設定項目が含まれていない処理条件についても、処理機構５５による処理が終了したときから第１消去時間又は第２消去時間が経過するまでは、ユーザは処理機構５５に対して同一の処理条件で処理を再び行わせることができる。
【００５７】
また、本実施形態によると、処理条件に特定設定項目記憶部６１に記憶された特定設定項目が含まれていない場合において、処理機構５５による処理が途中で異常中断した場合には、途中で異常中断していない場合と比べて、処理条件記憶部６０から処理条件が消去されるまでの時間が長くなる。このため、処理途中の異常中断により、処理機構５５による処理の処理内容がユーザの意図したものではなかった場合には、ユーザは、より確実に、処理機構５５に対して同一の処理条件で処理を再び行わせることができる。
【００５８】
また、本実施形態によると、特定設定項目は、対応する設定値がユーザからの文字入力により設定される設定項目であり、設定値を設定する際にユーザにかかる負担が比較的大きい設定項目である。従って、ユーザが、ＭＦＰ２００の入力受付装置５３を介して処理条件の内容を設定（選択）する際の、ユーザ負担を軽減することができる。
【００５９】
（第２実施形態）
次に、本発明の第２実施形態について説明する。以下においては、上述した第１実施形態と同一の箇所については同一の符号を付し、その説明を適宜省略する。第２実施形態では、第１実施形態とは異なり、ＣＰＵ５１は、処理機構５５による処理が終了したときにおいて、処理条件に特定設定項目が含まれる場合には、処理条件に含まれる設定項目及び当該設定項目に対応する設定値全てを含めた状態で、処理条件を処理条件記憶部６０に記憶させる。また、処理条件に特定設定項目が含まれていないときにおいて、処理機構５５による処理が途中で異常中断していない場合には、ＣＰＵ５１は、処理機構５５による処理が終了した直後に、処理条件を処理条件記憶部６０から消去する。一方で、処理機構５５による処理が途中で異常中断した場合には、ＣＰＵ５１は、入力受付装置５３で消去指示に係る入力をユーザから受け付けた後に処理条件を処理条件記憶部６０から消去する。
【００６０】
続いて、ＣＰＵ５１が実行する、読取処理及び消去処理の一例について、図７を参照しつつ説明する。ステップＢ１〜ステップＢ８の処理は上述のステップＡ１〜ステップＡ８の処理と略同様なので説明を省略する。ステップＢ８の処理において、処理条件に特定設定項目が含まれると判断した場合（Ｂ８：ＹＥＳ）には、ステップＢ１の処理に戻る。これにより、読取処理が終了した後においても、処理条件に含まれる設定項目及び当該設定項目に対応する設定値全てが含まれる状態で、処理条件が処理条件記憶部６０に記憶されていることになる。
【００６１】
一方、処理条件に特定設定項目が含まれていないと判断した場合（Ｂ８：ＮＯ）には、読取処理中におけるセンサ５８からの異常信号に基づき、読取処理が途中で異常中断したか否かを判断する（Ｂ９）。読取処理が途中で異常中断していないと判断した場合（Ｂ９：ＮＯ）には、読取処理が終了した直後に、処理条件を処理条件記憶部６０から消去する（Ｂ１０）。このステップＢ１０の処理が終了すると、ステップＢ１の処理に戻る。
【００６２】
ステップＢ９の処理で、読取処理が途中で異常中断したと判断した場合（Ｂ９：ＹＥＳ）には、読取処理が終了したときから所定時間経過後の時刻である消去時刻を追加した状態で、処理条件を処理条件記憶部６０に記憶させる（Ｂ１１）。このステップＢ１１の処理が終了すると、ステップＢ１の処理に戻る。
【００６３】
ステップＢ１の処理で、画像読取指示を受け付けていないと判断した場合（Ｂ１：ＮＯ）には、ステップＢ１２の処理に移る。ステップＢ１２及びＢ１３の処理は、上述のステップＡ１３及びＡ１４の処理と略同様なので説明を省略する。ステップＢ１３の処理で、消去時刻が現在時刻と一致する処理条件があると判断した場合（Ｂ１３：ＹＥＳ）には、ＣＰＵ５１は、当該処理条件を処理条件記憶部６０から消去してもよいかユーザに問い合わせるための消去画面が表示されるように表示装置５４を制御する（Ｂ１４）。次に、ＣＰＵ５１は、処理条件を処理条件記憶部６０から消去してもよい旨を示す消去指示を、入力受付装置５３を介してユーザから受け付けたか否かを判断する（Ｂ１５）。ユーザから消去指示を受け付けたと判断した場合（Ｂ１５：ＹＥＳ）には、ＣＰＵ５１は、当該処理条件を処理条件記憶部６０から消去して（Ｂ１６）、ステップＢ１の処理に戻る。
【００６４】
一方で、ユーザから消去指示を受け付けていないと判断した場合（Ｂ１５：ＮＯ）には、ＣＰＵ５１は、当該処理条件に含まれる消去時刻を、現在時刻から所定時間経過後の時刻に更新して（Ｂ１７）、ステップＢ１の処理に戻る。以上、ＣＰＵ５１が実行する、読取処理及び消去処理の一例について説明した。
【００６５】
以上、本実施形態においても、特定設定項目記憶部６１に記憶された特定設定項目に従って、処理が終了した後に処理条件を処理条件記憶部６０から消去するか否かが決められるため、ユーザの利便性を向上させることができる。
【００６６】
また、本実施形態によると、処理条件に特定設定項目記憶部６１に記憶された特定設定項目が含まれる場合には、処理機構５５による処理が終了した後においても、処理条件に含まれる設定項目、及び当該設定項目に対応全ての設定値を含めた状態で処理条件が処理条件記憶部６０に記憶される。このため、ユーザは処理機構５５に対して同一の処理条件で処理を再び行わせることができる。
【００６７】
また、本実施形態によると、処理条件に特定設定項目記憶部６１に記憶された特定設定項目が含まれていない場合において、処理機構５５による処理が途中で異常中断した場合には、処理条件は、ユーザから消去指示を受け付けた後に処理条件記憶部６０から消去される。このため、処理途中の異常中断により、処理機構５５による処理の処理内容がユーザの意図したものではなかった場合には、ユーザは、処理機構５５に対して同一の処理条件で処理を再び行わせることができる。
【００６８】
以上、本発明の好適な実施形態について説明したが、本発明は上述の実施形態に限られるものではなく、特許請求の範囲に記載した限りにおいて様々な変更が可能なものである。例えば、上述の実施形態では、特定設定項目記憶部６１には、処理条件に含めることができる全ての拡張設定項目が、特定設定項目として記憶されていたが、一部の拡張設定項目のみが特定設定項目として記憶されていてもよい。例えば、対応する設定値を文字入力で設定する必要がある拡張設定項目のみが特定設定項目として特定設定項目記憶部６１に記憶されていてもよい。また、特定設定項目記憶部６１に記憶させる特定設定項目を、処理条件に含めることができる設定項目の中から、ユーザが設定することができるようにされていてもよい。
また、上述の実施形態では、処理条件に含まれる設定項目に対応する設定値のうち、特定設定項目記憶部６１に記憶された特定設定項目に対応する設定値については、ユーザがＭＦＰ２００の入力受付装置５３を介して入力（設定）することができないように構成されていたが、ユーザが入力受付装置５３を介して入力することができるように構成されていてもよい。
【００６９】
また、処理条件記憶部６０の処理条件を記憶可能な残りの記憶容量が所定値未満となった場合、ＣＰＵ５１が、処理条件記憶部６０の処理条件のうち、生成日時が最も古い処理条件を処理条件記憶部６０から消去するように構成されていてもよい。また、上述の実施形態では、処理装置は、画像読取機能及び画像記録機能を備えた複合機であったが、画像読取機能のみを備えたスキャナ装置であってもよく、画像記録機能のみを備えた画像記録装置であってもよい。
【００７０】
上述の第１実施形態では、ＣＰＵ５１は、処理条件記憶部６０に記憶された処理条件に従った処理機構５５による処理が終了したときに、当該処理条件に特定設定項目が含まれている場合には、当該処理条件に含まれる設定項目、及び、特定設定項目に対応する設定値が含まれる状態で処理条件を処理条件記憶部６０に記憶させているが、処理条件の特定設定項目と特定設定項目に対応する設定値のみが含まれる状態で処理条件を処理条件記憶部６０に記憶させてもよい。即ち、処理条件に特定設定項目が含まれている場合には、基本設定項目、及び基本設定項目に対応する設定値が消去されるように構成されていてもよい。この場合、ＣＰＵ５１は、入力受付装置５３を介して設定値入力指示を受け付けたときに、処理条件記憶部６０に記憶されている処理条件の特定設定項目と当該特定設定項目に対応する設定値に加えて、既定の基本設定項目と当該基本設定項目に対応する設定値を追加した処理条件を設定画面７０に表示させるように構成されていてもよい。或いは、ＣＰＵ５１は、処理条件記憶部６０に記憶されている処理条件の特定設定項目と当該特定設定項目に対応する設定値を、オプション設定として設定画面７０上に表示させ、ユーザが処理条件記憶部６０に記憶されている特定設定項目と当該特定設定項目に対応する設定値を処理条件にオプションとして追加選択することが可能に構成されていてもよい。
【００７１】
また、上述の実施形態においては、入力受付装置５３を介してユーザから画像読取指示や設定値入力指示を受け付けたときに、ＣＰＵ５１は、認証用画面を表示装置５４に表示させて認証を行うように構成されているが、認証を必要としない構成であってもよい。
【００７２】
また、上述の実施形態においては、ＣＰＵ５１は、処理条件記憶部６０に記憶された処理条件に従った処理機構５５による処理が終了したときに、特定設定項目を含む処理条件を処理条件記憶部６０に記憶させる構成されているが、処理条件記憶部６０に記憶された処理条件のうち、処理機構５５による処理が一回終了している処理条件については、処理機構５５による２回目以降の処理が終了したときに、当該処理条件に含まれる処理日時だけを新しい日時に変更して上書きで処理条件記憶部６０に記憶させてもよい。
【００７３】
また、上述の実施形態において、ＣＰＵが単一のＣＰＵにより各処理を実行してもよいし、複数のＣＰＵ、あるいは特定の１以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＣＰＵと特定のＡＳＩＣの組み合わせにより処理を実行してもよい。
【符号の説明】
【００７４】
５１  ＣＰＵ（制御部の一例）
５２  通信インターフェース（受信部の一例）
５３  入力受付装置（受付部の一例）
５５  処理機構（処理部の一例）
６０  処理条件記憶部
６１  特定設定項目記憶部
【図１】
2014236277.tif 000003
【図２】
2014236277.tif 000004
【図３】
2014236277.tif 000005
【図４】
2014236277.tif 000006
【図５】
2014236277.tif 000007
【図６】
2014236277.tif 000008
【図７】
2014236277.tif 000009